(57)【要約】【課題】トレイの剛性を確保して、小型化を図ることができるディスク装置を提供する。【解決手段】エレベータカムギヤ５０を回転させ、トレイ２０をカム溝５４に係合させて下降させる。所望のトレイ２０が作業空間Ｓに位置した時点で、ディスクホルダ部６０の回転部６１を回転させ、回転部６１に形成されている第１のカム溝６２と下側ホルダ６５に設けられているカム突起６５ｃとの協働により下側ホルダ６５を回転させ、下側ホルダ６５の下ホルダ部６５ｂを突出させて所望のディスク１２の下降を規制して選択する。また、同時に、第１のカム溝６２と上側ホルダ６３に設けられているカム突起６３ｃとの協働により上側ホルダ６３を回転させて上ホルダ部６３ｂとの間に所望のディスク１２を保持する。そして、第１のカム溝６２にしたがって上側ホルダ６３及び下側ホルダ６５を上下移動させることにより、把持した所望のディスク１２をターンテーブル３１の上に載置する。【選択図】図６
2006202384.tif 000002
【特許請求の範囲】
【請求項１】
ディスクを個別に載置可能で積層配置されたトレイを複数備えるディスク装置であって、
前記複数のトレイを積層方向に移動させるトレイ移動部と、
前記積層方向の所定の位置に移動された前記トレイに載置された前記ディスクを保持するとともに、前記ディスクの記録又は再生を行うための作業を行う作業空間を形成するディスクホルダ部と、
前記ディスクの記録又は再生を行う光学ヘッド部が移動可能に支持され、前記作業空間に移動可能な回動アームと、を備え、
前記トレイ移動部は、外周面の前記作業空間と前記作業空間より積層方向下方部に対応する部分に、前記トレイが係合するカム溝が形成された円筒形状の昇降用カム体を含み、
前記カム溝のピッチは、前記作業空間に対応する部分が前記作業空間より積層方向下方部に対応する部分に対して相対的に阻であり、
前記ディスクホルダ部は、前記保持したディスクの積層方向下方移動を規制することにより当該ディスクの下方に前記作業空間を設けるものであるディスク装置。
【請求項２】
請求項１記載のディスク装置であって、
前記ディスクホルダ部は、外周面に第１のカム溝を有し回転する全体円筒形状の回転部と、前記回転部の外側にあって内周面に設けられたカム突起により前記第１のカム溝にしたがって回転可能かつ上下移動可能に設けられるとともに外周面に第２のカム溝及びディスクに当接する上ホルダ部を有する上側ホルダと、前記上側ホルダの下側にあって内周面に設けられたカム突起により前記第１のカム溝にしたがって回転可能かつ上下移動可能に設けられるとともに外周面に第３のカム溝及びディスクに当接する下ホルダ部を有する下側ホルダと、ディスク装置の筐体側に固定され前記第２のカム溝及び前記第３のカム溝に係合する２つのカム突起を有する固定体を含むディスク装置。
【請求項３】
請求項１又は２記載のディスク装置であって、
前記トレイは、前記ディスクの記録又は再生が行われる期間、前記昇降用カム体の相対的にピッチが阻の前記カム溝が形成された部分より積層方向上方位置に対応する上待機位置と、前記昇降用カム体の相対的にピッチが密の前記カム溝が形成された部分に対応する下待機位置に待機するディスク装置。
【請求項４】
請求項３記載のディスク装置であって、
前記上待機位置の前記トレイを、積層方向下方に付勢するばね部材を備えるディスク装置。
【発明の詳細な説明】
【技術分野】
【０００１】
本発明は、ディスクを個別に載置可能で積層配置されたトレイを複数備えるディスク装置に関するものである。
【背景技術】
【０００２】
従来より、複数枚の光ディスク等のディスクを装置の本体内部に収納しておき、所望のディスクを選択して記録再生する多連奏型のディスク装置が開発されている（例えば特許文献１参照）。特許文献１に示される光ディスク装置１００では、図８に示すように、本体１０１の前面に、外径１２ｃｍのＣＤ（Compact Disc）、ＤＶＤ(Digital Versatile Disc)等の大径ディスク１０２や、外径１２ｃｍの円環形状のアダプタに外径８ｃｍの小径のＣＤが取り付けられた擬似的なディスク等のメディアを挿入するための挿入口１０３が設けられている。本体１０１における挿入口１０３の内側には、搬入方向に直交して搬送ローラ１０４が回転自在に設けられており、挿入口１０３から挿入され外径検知センサ１０５、１０６によって正規のディスクと判断された大径ディスク１０２等を本体内部に搬入するようになっている。
【０００３】
搬送ローラ１０４の後方（図８において右側）には、複数のトレイ１０７が上下方向に積層して設けられている。トレイ１０７は、図示省略のエレベータ機構によって上下方向に移動可能となっており、ディスク１０２の搬入又は搬出時に選択されたトレイ１０７を挿入口１０３と同じ高さに移動させる。
【０００４】
このトレイ１０７の後方には、先端にディスク１０２を把持して回転するターンテーブル１０８を有する回動アーム１１０が、回動軸１０９を中心として回動自在に設けられている。回動アーム１１０には、図示省略のピックアップが往復移動自在に設けられており、回動アーム１１０を記録再生位置に回動して位置決めした後に、ピックアップを往復移動させることによりディスク１０２に対して記録再生を行うようになっている。回動アーム１１０が記録再生位置に回動するに先立って、トレイ１０７は、上下方向に移動される。
【０００５】
このディスク装置１００は、記録再生位置に位置決めされた回動アーム１１０とトレイ１０７とが干渉しないように、トレイ１０７には切欠き１１１が設けられている。したがって、トレイ１０７に保持された状態の光ディスク１０２を、直接回動アーム１１０のターンテーブル１０８により保持することができ、回動アーム１１０と干渉することなくトレイ１０７を下げることができるようになっている。そのため、トレイ１０７の外周が連続しておらず、トレイ１０７の剛性が不足して変形する場合がある。
【０００６】
【特許文献１】特開２００３−３３８１１２号公報
【発明の開示】
【発明が解決しようとする課題】
【０００７】
本発明は、上記事情に鑑みてなされたもので、トレイの剛性を確保して、小型化を図ることができるディスク装置を提供することを目的とする。
【課題を解決するための手段】
【０００８】
本発明のディスク装置は、ディスクを個別に載置可能で積層配置されたトレイを複数備えるディスク装置であって、前記複数のトレイを積層方向に移動させるトレイ移動部と、前記積層方向の所定の位置に移動された前記トレイに載置された前記ディスクを保持するとともに、前記ディスクの記録又は再生を行うための作業を行う作業空間を形成するディスクホルダ部と、前記ディスクの記録又は再生を行う光学ヘッド部が移動可能に支持され、前記作業空間に移動可能な回動アームと、を備え、前記トレイ移動部は、外周面の前記作業空間と前記作業空間より積層方向下方部に対応する部分に、前記トレイが係合するカム溝が形成された円筒形状の昇降用カム体を含み、前記カム溝のピッチは、前記作業空間に対応する部分が前記作業空間より積層方向下方部に対応する部分に対して相対的に阻であり、前記ディスクホルダ部は、前記保持したディスクの積層方向下方移動を規制することにより当該ディスクの下方に前記作業空間を設けるものである。
【０００９】
また、本発明のディスク装置は、前記ディスクホルダ部が、外周面に第１のカム溝を有し回転する全体円筒形状の回転部と、前記回転部の外側にあって内周面に設けられたカム突起により前記第１のカム溝にしたがって回転可能かつ上下移動可能に設けられるとともに外周面に第２のカム溝及びディスクに当接する上ホルダ部を有する上側ホルダと、前記上側ホルダの下側にあって内周面に設けられたカム突起により前記第１のカム溝にしたがって回転可能かつ上下移動可能に設けられるとともに外周面に第３のカム溝及びディスクに当接する下ホルダ部を有する下側ホルダと、ディスク装置の筐体側に固定され前記第２のカム溝及び前記第３のカム溝に係合する２つのカム突起を有する固定体を含むものをふくむ。
【００１０】
この構成により、回転部を回転させて、回転部に形成されている第１のカム溝と下側ホルダに設けられているカム突起との協働により下側ホルダを回転させ、下側ホルダの下ホルダ部を突出させて所望のディスクの下降を規制して選択することができる。また、同時に、第１のカム溝と上側ホルダに設けられているカム突起との協働により上側ホルダを回転させて上ホルダ部との間に所望のディスクを保持する。そして、第１のカム溝にしたがって上側ホルダ及び下側ホルダを上下移動させることにより、把持した所望のディスクをターンテーブルの上に載置することができる。このため、回動アームとの干渉を防止するためにトレイを切欠くことなくディスクをターンテーブルにセットすることができるので、トレイの剛性を確保することができる。
【００１１】
また、本発明のディスク装置は、前記トレイが、前記ディスクの記録又は再生が行われる期間、前記昇降用カム体の相対的にピッチが阻の前記カム溝が形成された部分より積層方向上方位置に対応する上待機位置と、前記昇降用カム体の相対的にピッチが密の前記カム溝が形成された部分に対応する下待機位置に待機するものを含む。
【００１２】
この構成により、昇降用カム体の回転のみによって、トレイを上待機位置に待機させること、及び下待機位置に待機させること等を行うことができるので、装置全体のコンパクト化を図ることができる。
【００１３】
また、本発明のディスク装置は、さらに前記上待機位置の前記トレイを、積層方向下方に付勢するばね部材を備えるものを含む。
【００１４】
この構成により、上待機位置のトレイ及び載置されたディスクを簡単に固定することができる。
【発明の効果】
【００１５】
以上の説明から明らかなように、本発明によれば、トレイの剛性を確保して、小型化を図ることができるディスク装置を提供することができる。
【発明を実施するための最良の形態】
【００１６】
以下、本発明の実施の形態について、図面を用いて説明する。
【００１７】
図１に、本発明の実施形態のディスク装置１０を内蔵するカーオーディオ装置１の全体斜視図を示す。このカーオーディオ装置１では、ディスク装置１０のほかにラジオ２、カセットテープ再生装置３等を内蔵しており、前面パネル４には、全機能に共用される表示部４ａや電源／ボリュームつまみ４ｂに加えて、ディスク装置１０におけるディスク挿脱口１１、ラジオ用のチューニングつまみ２ａ、カセットテープ挿入口３ａ等が設けられている。また、内部には、ラジオ２、カセットテープ再生装置３、ディスク装置１０等を制御する制御部（図示せず）が設けられている。
【００１８】
図２及び図３は、カーオーディオ装置１に内蔵されるディスク装置１０の要部上面図であり、図２は待機時を示し、図３は再生時を示す。
【００１９】
図２に示すように、本発明の実施形態のディスク装置１０では、複数のディスク１２を内部に収納可能な本体１３と、この本体１３の内部において各ディスク１２を個別に保持する積層された複数のトレイ２０と、先端にディスク１２を挟持して回転するターンテーブル３１を有しディスク１２に対して記録再生を行う光学ヘッド部３２を移動可能に支持するとともに各トレイ２０の積層方向と平行な支軸３３を中心として回動可能な回動アーム３０とを備えている。
【００２０】
図２及び図３に示すように、トレイ２０は全体略円盤状であり、中央部に円形の中空部２１が設けられている。したがって、トレイ２０は閉じた円形状であり、剛性を保持することができる。また、トレイ２０の一部は外側に突出して支持部２２を形成しており、軸部２３により別個に上下移動自在に支持されている。
【００２１】
トレイ２０の外周縁には複数箇所に拡幅部２４が設けられており、この拡幅部２４にはエレベータ用貫通穴２４ａが設けられている。そして、このエレベータ用貫通穴２４ａを上下に貫通するように昇降用カム体としてのトレイ昇降用のエレベータカムギヤ５０が設けられている。また、拡幅部２４の外側には全トレイ２０を互いに接する方向に付勢するために最も上のトレイ２０ａと本体１３の底部１３ａとの間にバネ５１（図７（Ｃ）参照）が設けられている。なお、最も上のトレイ２０ａは、ディスク１２を載置するものではなく、最も上のディスク１２を保護するためのものである。また、各トレイ２０には、各トレイ２０間の間隔を一定に保持するためにスペーサ２６（図６参照）が設けられている。
【００２２】
各トレイ２０におけるエレベータカムギヤ５０の近傍には、上下移動するディスク１２の中から記録再生を行う所望のディスク１２を選択して保持するとともに、記録再生を行うための各種作業を行う空間である作業空間Ｓを形成し、作業空間Ｓの所定位置に位置決めするホルダ部６０が設けられている。また、このディスクホルダ部６０に対応してトレイ２０にはディスク把持用切欠き２５が設けられており、このディスク把持用切欠き２５では、トレイ２０に収納されているディスク１２が露出しているため容易にディスク１２を選択することができるようになっている。エレベータカムギヤ５０、バネ５１、ディスクホルダ部６０は、トレイ２０の周囲４箇所に略均等間隔で設けられているが、複数箇所であれば４箇所に限らない。
【００２３】
図２及び図３に示すように、本体１３内部におけるトレイ２０の近傍（図２中左側）の所定高さ位置には、先端にディスク１２を挟持して回転するターンテーブル３１を有する回動アーム３０が、支軸３３を中心として回動可能に設けられている。回動アーム３０のサスシャーシ３４には、光学ヘッド部３２が支軸３３とターンテーブル３１の中心とを結ぶ方向に沿って往復移動可能に設けられている。光学ヘッド部３２は、駆動モータ３５によって回転されるリードスクリュ３６と係合しており、リードスクリュ３６の回転によって移動する。
【００２４】
また、挿脱口１１の本体１３内側には、上下対を成す搬送ローラ１４が設けられており、図示省略の駆動機構により、正逆回転可能となっている。これにより、挿脱口１１に挿入されたディスク１２を搬入し、記録再生を終了したディスク１２を挿脱口１１から排出する。
【００２５】
図４に、エレベータカムギヤ５０を示す。図４に示すように、エレベータカムギヤ５０は３つの部分からなる。最上部には外径が細い軸部５２となっており、この部分は、記録再生するディスク１２よりも上側でディスク１２を待機させる上待機位置Ｔ１に対応する。ここで待機する各トレイ２０は上下移動が自由であってバネ５１（図７（Ｃ）参照）の付勢力によりスペーサ２６を介して互いに接した状態となっている。
【００２６】
エレベータカムギヤ５０の下方部の外周面にはトレイ２０が係合するカム溝５４が形成され、上部カム部５３ａ及び下部カム部５３ｂを構成する。上部カム部５３ａのカム溝５４のピッチは、下部カム部５３ｂのカム溝５４のピッチに比較して粗くなっており、この部分においては、エレベータカムギヤ５０の回転によってトレイ２０は大きく上下移動する。回動アーム３０の回動動作に干渉しないよう設ける作業空間Ｓに対応する位置となっている。
【００２７】
下部カム部５３ｂのカム溝５４のピッチは、相対的に密であり、この部分は、記録再生するディスク１２よりも下側でディスク１２が待機させる下待機位置Ｔ２に対応する。
【００２８】
エレベータカムギヤ５０はトレイ２０に複数箇所設けられている拡幅部２４のエレベータ用貫通穴２４ａに係合するように設けられており、図示省略の駆動機構により回転駆動される。したがって、エレベータカムギヤ５０の回転に伴ってディスク１２を載置するトレイ２０が上下移動するようになっている。
【００２９】
図５に、ディスクホルダ部６０を示す。ディスクホルダ部６０は、図示省略の回転機構により回転される全体円筒形状の回転部６１と、回転部６１の外側に回転可能かつ上下移動可能に支持される上側ホルダ６３及び下側ホルダ６５と、上側ホルダ６３及び下側ホルダ６５の近傍で本体１３に固定されている固定ガイド部６７とを含んで構成される。なお、図５においては、固定ガイド部６７を回転部６１から離れた位置に示しているが、実際には、図２、３、７等に示すように近接している。
【００３０】
回転部６１の外周面６１ａには、図５の展開図に示すような第１のカム溝６２が設けられ、上側ホルダ６３の内周面には、第１のカム溝６２に係合するカム突起６３ｃが設けられている。また、上側ホルダ６３の外周面６３ａには、第２のカム溝６４及びディスク１２に当接する上ホルダ部としての上ホルダ突起６３ｂが設けられている。
【００３１】
下側ホルダ６５の内周面には、第１のカム溝６２に係合するカム突起６５ｃが設けられている。また、下側ホルダ６５の外周面６５ａには、第３のカム溝６６及びディスク１２に当接する下ホルダ部としての下ホルダ突起６５ｂが設けられている。
【００３２】
本体１３側に固定されている固定ガイド部６７には、上側ホルダ６３の第２のカム溝６４に係合するカム突起である上カム突起６７ａと下側ホルダ６５の第３のカム溝６６に係合するカム突起である下カム突起６７ｂが設けられている。なお、ディスク挿脱口１１の近傍に設けられている固定ガイド部６７は、挿脱されるディスク１２との干渉を防止するため、下半分のみで構成されている。
【００３３】
したがって、上側ホルダ６３及び下側ホルダ６５は、回転部６１の回転にしたがって回転及び上下移動する。
【００３４】
以上のように構成されたディスク装置１０の動作を、図６及び図７を用いて説明する。図の例は、トレイ２０に載置された全部で６枚のディスク１２のうち、下から４枚目のディスク１２に記録再生を行う場合の動作である。ディスク装置１０は、６枚のディスク１２を載置可能であり、最上段の蓋の役目を果たすトレイ２０ａを含めて７枚のトレイ２０を有する。そして、最上段のトレイ２０ａは、本体１３の底部１３ａに取り付けられているバネ５１によって常時下方に付勢されている。
【００３５】
図６（Ａ）に示すように、ディスク１２を載置した全て（ここでは６枚）のトレイ２０が作業空間Ｓの上方に待機している場合、各トレイ２０は、ばね５１（図６では図示せず）によって下方に付勢されているので、載置されているディスク１２はガタつかないようになっている。この状態でエレベータカムギヤ５０を回転させると、一番下のトレイ２０が上部カム部５３ａのカム溝５４に係合して、下降する。このとき、ディスクホルダ部６０の上側ホルダ６３及び下側ホルダ６５は、上ホルダ突起６３ｂ及び下ホルダ突起６５がディスク１２側に突出しない位置にある。さらにエレベータカムギヤ５０を回転させることにより、下から３枚のトレイ２０を下降させる。
【００３６】
次いで、図６（Ｂ）に示すように、下側ホルダ６５を回転させて下ホルダ突起６５ｂをディスク１２側に突出させ、下から４枚目のトレイ２０に収納されている記録再生を行うディスク１２の下降を阻止する。このとき、図６（Ｃ）に示すように、エレベータカムギヤ５０の回転により４枚目のトレイ２０を急速度で下降させると共に、ディスクホルダ部６０の下側ホルダ６５を上昇させて５枚目以降のトレイ２０の下降を阻止する。これにより、止められたディスク１２の下方には、作業空間Ｓが形成され。この状態で、図６（Ｄ）に示すように、回動アーム３０を回動させて記録再生位置に位置決めする。
【００３７】
続いて、図７（Ａ）に示すように、上側ホルダ６３を回転させて、上ホルダ突起６３ｂと下ホルダ突起６５ｂとで記録再生するディスク１２の上下移動を阻止し、図７（Ｂ）に示すように、両ホルダ６３、６５を下降させてディスク１２をターンテーブル３１の上に載置してセットする。その後、図７（Ｃ）に示すように、上側ホルダ６３を上昇させると共に下側ホルダ６５を下降させて、ディスク１２を解放し、記録再生動作を行う。なお、記録再生動作を終了して、ディスク１２を上方に収納する場合には、前述した工程を逆に実行することにより、図６（Ａ）に示すような収納状態に戻ることができる。
【００３８】
このような上側ホルダ６３及び下側ホルダ６５の動きは、回転部６１の外周に形成されたカム溝６２とカム溝６２に係合する上ホルダ突起６３ｂ及び下ホルダ突起６５、上側ホルダ６３及び下側ホルダ６５の外周に形成された第２のカム溝６４及び第３のカム溝６６に係合する固定ガイド部６７の突起６７ａ及び６７ｂによって実現される。また、下降させるディスク１２の枚数は、エレベータカムギヤ５０の回転量によって制御できる。
【００３９】
以上のように、エレベータカムギヤ５０がトレイ２０を上下移動させることによって、所望のディスク１２をディスクホルダ部６０で選択し、選択したディスク１２を回動アーム３０のターンテーブル３１に載置するので、トレイ１２に回動アーム３０との干渉を回避するための切欠きを設ける必要がなくなる。これにより、トレイ２０の剛性を確保することができるので、トレイ２０の変形を防止してできるとともに、小型化が図れる。また、選択されたディスクの上方で待機するディスクを重ねた状態としているので、スペース効率が向上し、この点でも小型化が図れる。
【００４０】
なお、以上の説明では、エレベータカムギヤ５０として、軸部５２、上部カム部５３ａ、下部カム部５３ｂが一体に構成し、全体として回転するものとしたが、軸部５２を固定部材として設け、この軸部５２の周りに回転駆動される上部カム部５３ａ及び下部カム部５３ｂを設けることも可能である。
【産業上の利用可能性】
【００４１】
以上のように、本発明のディスク装置は、略中空円盤状のトレイを利用することにより、トレイの剛性を確保することができ、小型化を図ることができる多連奏型のディスク装置等として有用である。
【図面の簡単な説明】
【００４２】
【図１】本発明の実施形態のディスク装置を内蔵するカーオーディオ装置の全体斜視図
【図２】本発明の実施形態のディスク装置の待機時における要部上面図
【図３】本発明の実施形態のディスク装置の再生時における要部上面図
【図４】本発明の実施形態のディスク装置のエレベータカムギヤの正面図
【図５】本発明の実施形態のディスク装置のディスクホルダ部の説明図（２周展開図）
【図６】本発明の実施形態のディスク装置の動作を説明する図
【図７】本発明の実施形態のディスク装置の動作を説明する図
【図８】従来の光ディスク装置の平面図
【符号の説明】
【００４３】
１０  ディスク装置
１２  ディスク
２０  トレイ
３０  回動アーム
３２  光学ヘッド部
５０  エレベータカムギヤ（昇降用カム体）
５４  カム溝
６０  ディスクホルダ部
６１  回転部
６１ａ  外周面
６２  第１のカム溝
６３  上側ホルダ
６３ａ  外周面
６３ｂ  上ホルダ突起（上ホルダ部）
６３ｃ  上カム突起（カム突起）
６４  第２のカム溝
６５  下側ホルダ
６５ａ  外周面
６５ｂ  下ホルダ突起（下ホルダ部）
６５ｃ  下カム突起（カム突起）
６６  第３のカム溝
６７  固定ガイド（固定体）
６７ａ  上カム突起（カム突起）
６７ｂ  下カム突起（カム突起）
Ｓ  作業空間
Ｔ１  上待機位置
Ｔ２  下待機位置
【図１】
2006202384.tif 000003
【図２】
2006202384.tif 000004
【図３】
2006202384.tif 000005
【図４】
2006202384.tif 000006
【図５】
2006202384.tif 000007
【図６】
2006202384.tif 000008
【図７】
2006202384.tif 000009
【図８】
2006202384.tif 000010